(57)【要約】  パーソナルケア製品は、容器と、該容器内に配置された視覚的に異なる相を有するパーソナルケア組成物とを含む。容器は、該容器内の視覚的に異なる相の視認を可能にする視認部分と、該容器内の組成物の視認を妨げる被覆部分とを含む。
2009512600.tif 000002
【特許請求の範囲】
【請求項１】
容器と、
該容器内に配置された視覚的に異なる少なくとも２つの相を有するパーソナルケア組成物と、
前記容器内の前記パーソナルケア組成物の視認を妨げる被覆部分と、
前記容器内の前記視覚的に異なる相の視認を可能にする、閉止具を除く前記容器の全表面積の０．５％〜７０％を覆う透明な視認部分と
を備えるパーソナルケア製品。
【請求項２】
前記視認部分は、閉止具を除く前記容器の全表面積の０．５％〜５０％を覆っており、
好ましくは、前記視認部分は、閉止具を除く前記容器の全表面積の０．５％〜３０％を覆う、請求項１に記載のパーソナルケア製品。
【請求項３】
前記視認部分は、前記被覆部分によって完全に囲まれる、請求項１または２に記載のパーソナルケア製品。
【請求項４】
前記容器は、透明な本体を有する、請求項１〜３のいずれか一項に記載のパーソナルケア製品。
【請求項５】
前記被覆部分は、収縮スリーブと、収縮ラップと、接着ラベルとから成る群から選択される、請求項１〜４のいずれか一項に記載のパーソナルケア製品。
【請求項６】
前記被覆部分は、透明な本体を通じた前記視覚的に異なる相の視認を可能にするために、前記透明な視認部分を画定する窓を含む、請求項５に記載のパーソナルケア製品。
【請求項７】
前記窓は、前記被覆部分の透明な領域によって形成される、請求項６に記載のパーソナルケア製品。
【請求項８】
前記窓は、前記被覆部分の開口部によって形成される、請求項６に記載のパーソナルケア製品。
【請求項９】
前記窓は、幾何学的な形状の形態である、請求項６に記載のパーソナルケア製品。
【発明の詳細な説明】
【技術分野】
【０００１】
本願は、一般に容器に関し、より詳細には、組成物の視覚的に異なる相の視認を可能にする容器に関する。
【背景技術】
【０００２】
単一の容器内に包装された２つもしくはそれ以上の相を用いる、様々なパーソナルケア組成物が開発されている。それらの相は、物理的に接触して包装されるが、少なくとも初めは、別個の異なるものである。特に組成物が視覚的に心地良い場合、２つもしくはそれ以上の相を有する組成物の少なくとも一部分の視認を可能にすることが望ましい。
【０００３】
これまでに、２つもしくはそれ以上の相を有するパーソナルケア組成物を保持するための容器が提案されてきた。容器は、消費者がその中の組成物を見られるようにすることのできる、透明なものである場合がある。ただし、これら従来の容器の１つの欠点は、消費者にとって望ましい心地良い審美的外観を維持するために、組成物が実質的に安定なままである必要があることである。したがって、当該技術分野では、消費者に製品の多相性質を伝えるが、必ずしも長期的安定性を必要としない、視覚的に異なる少なくとも２つの相を含むパーソナルケア組成物を収めるのに好適な包装が依然として必要とされている。
【発明の開示】
【発明が解決しようとする課題】
【０００４】
それゆえに、本発明の目的は、消費者が各相を視覚的に認知できる、視覚的に異なる少なくとも２つの相を有するパーソナルケア製品のための包装を提供することである。本発明のさらなる目的は、組成物の一部分を隠す包装を提供することである。
【課題を解決するための手段】
【０００５】
一態様では、本発明は、視覚的に異なる少なくとも２つの相を有するパーソナルケア組成物のための容器であって、視覚的に異なる相が容器の一部分を通して見られることのできる容器を特徴とする。容器は、該容器内の視覚的に異なる相の視認を可能にする視認部分と、該容器内の組成物の視認を妨げる被覆部分とを含む。視認部分は、閉止具を除く包装の表面積の約０．５％〜約７０％である。より好ましくは、視認部分は、閉止具を除く包装の表面積の約０．５％〜約５０％である。
【０００６】
特定の実施形態では、視認部分は、被覆部分によって完全に囲まれる。視認および被覆部分は、スリーブもしくはラップによって形成されてよい。スリーブは、容器の周囲を延びる収縮スリーブであってよい。容器は、透明な本体を有してよい。パーソナルケア組成物は、組成物の相が視覚的に異なる相を形成する、多相組成物であってよい。
【０００７】
本発明の１以上の実施形態の詳細を、添付図面および以下の説明に記述する。本発明の他の特徴、対象物および利点は、説明、図面および請求項から明らかになる。
【発明を実施するための最良の形態】
【０００８】
本明細書で使用するとき、「視覚的に異なる（visually distinct）」相は、互いに接触する明らかに別個の領域として見る人が観察できる領域である。領域は、例えば、色の相違、形状の相違、サイズの相違、またはこれらの組み合わせにより、互いに視覚的に異なっていてよい。
【０００９】
本明細書で使用するとき、用語「透明な（transparent）」は、一般に、向こう側にある視覚的に異なる相が見られるように、さほどの散乱なしに光を透過する特性を有することを指す。透明な包装、またはその少なくとも一部分は、約５０％〜約１００％の、可視波長光の透過パーセントを有する。
【００１０】
「明らかに清澄な（visibly clear）」組成物は、約８０％以上など、約６０％以上の透過率を有する組成物を指す。組成物の透過率は、試料による紫外線／可視（ＵＶ／ＶＩＳ）光の吸収または透過を決定する、ＵＶ／ＶＩＳ分光測光法を使用して測定される。６００ｎｍの光波長は、パーソナルケア組成物の透明度を特徴付けるのに適切であることが示されてきた。通常、特定の分光光度計に関係付けられた特定の指示書に従うべきである。一般に、透過パーセントを測定するための手順は、分光光度計を６００ｎｍに設定することにより開始する。次いで較正用「ブランク」を実行して、計測値を１００透過パーセントに較正する。次いで試験試料を、特定の分光分析装置に適合するように設計されたキュベット内に設置し、６００ｎｍで分光分析装置により透過パーセントを測定する。
【００１１】
本明細書で使用するとき、用語「多相の（multi-phased）」または「多相（multi-phase）」は、組成物の少なくとも２つの相が、それらがその中に保管される包装の内側の別個の異なる物理的空間を占めるが、互いに直接接触している（すなわち、障壁によって隔てられていない）ことを意味する。本発明の一実施形態では、少なくとも２つの相を含む多相のパーソナルケア組成物が、視覚的に異なる模様として容器内に存在する。模様は、多相の組成物の混合または均質化の結果として生じる。模様としては、ストライプ模様、大理石模様、直線的模様、中断ストライプ模様、チェック模様、斑点模様、すじ模様、クラスター模様、斑紋模様、幾何学模様、まだら模様、リボン模様、らせん模様（helical）、渦模様（swirl）、配列模様、ふ入り模様、織物模様、溝模様、隆起線模様、波形模様、正弦波模様、渦巻き模様（spiral）、ねじれ模様、曲線模様、周期模様、縞模様、横紋模様、輪郭模様、不均等模様、レース模様、織り込みもしくは織り出し模様、バスケット織り模様、まだら模様、およびモザイク模様が挙げられるが、これらに限定されない。好ましくは、模様は、縞模様、幾何学模様、大理石模様、およびこれらの組み合わせより成る群から選択される。好ましい実施形態において、ストライプ模様は、包装の寸法にわたって相対的に一様および均一であってもよい。或いは、縞模様は、一様でなくてもよく、即ち波形であってもよいし、または寸法において均一でなくてもよい。縞模様は、必ずしもパッケージ寸法全体にわたって伸びている必要はない。相は、多様な異なる色であってもよく、もしくは粒子、光沢、もしくは真珠光沢が含まれてもよい。
【００１２】
本明細書で使用するとき、用語「パーソナルケア組成物（personal care composition）」は、ヒトまたは動物の身体の毛、皮膚、または他の領域に局所適用するための組成物だけを含むことが意図された組成物を指す。
【００１３】
図１および図２を参照すると、パーソナルケア製品１０は、包装、この例では容器１４内に収められた、パーソナルケア組成物１２を含む。容器１４は、分与部分１６と、パーソナルケア組成物１２を保持する収容容積を形成するためのレセプタクル部分１８とを含む。容器１４からのパーソナルケア組成物の予期せぬ流出を妨げるために、キャップ、蓋、密閉可能な注ぎ口などの閉止具１５を分与部分１６のところに連結してよい。容器１４は、この例では、分与部分１６または閉止具１５が、また、表面上で容器を直立位置で支持するために使用できる容器の基部も提供できるという点で、倒置容器と呼ばれてもよい。ある実施形態では、容器１４を直立位置で支持するために使用できる基部または追加の基部を形成するために、レセプタクル部分１８（またはレセプタクル部分に連結された追加の構成要素）が使用されてもよい。以下でさらに詳細に述べるように、容器１４は、視角的に異なる模様を示す別個の視覚的指示領域２０を含む。
【００１４】
図１および図２の実施形態では、容器１４のレセプタクル部分１８は、透明な熱可塑性材料または透明なガラスなど、透明な材料で形成される。収縮スリーブもしくはラップ２２（図２に一部が示される）は、チューブ状の可撓性スリーブとしてレセプタクル部分の周囲を延びることによって、レセプタクル部分１８の少なくとも一部分を包む。収縮スリーブもしくはラップ２２は、例えば、単一のプラスチックフィルムから作製されてもよく、または２つもしくはそれ以上の層で積層されてもよい。収縮スリーブもしくはラップ２２は、印刷される、着色されたもしくは透明な光沢フィルムであってもよく、または、積層フィルムの場合、フィルムの少なくとも１つの層が、積層体を押し出す時点もしくはその前に染料もしくは顔料の添加によって着色もしくは印刷されてもよい。収縮スリーブもしくはラップ２２は、また、色、デザイン、ロゴ、使用説明書、健康および規制の記号および警告、並びに他の文書もしくは図形情報で装飾されていてもよい。そのような装飾は、フレキソもしくはグラビア印刷、石版印刷、オフセット印刷、シルクスクリーニング、および／または回転スクリーニングによって実施されてよい。裏刷り（reverse printing）として知られる代表的な一方法は、ラベルの光沢を維持するためにラベルの内側（すなわち、容器に面する側）に色を印刷するものである。収縮スリーブもしくはラップ２２は、プラスチックフィルムを本質的にチューブへと形成することによって、好ましくは、フィルムをそれ自体に折り返してシームを形成し、チューブを切断して個々のスリーブを形成することによって、形成される。理解できるように、透明なレセプタクル部分１８を、印刷または着色された部分を有する収縮スリーブもしくはラップ２２で包むことによって、容器１４の透明なレセプタクル部分１８の領域は、覆い隠され、場合によっては視界から遮断さえされ、したがってその中に配置された組成物１２を覆い隠し、場合によっては視認を妨げさえする。
【００１５】
視角的指示領域２０は、半透明もしくは不透明の事前に印刷または着色された被覆部分２４によって囲まれた視覚的に異なる模様を示す。ある実施形態では、視角的指示領域２０は、それを通した視認を可能にする透明な視認部分２６（すなわち、窓）を有する収縮スリーブ２２を形成することによって提供される。例えば、収縮スリーブもしくはラップ２２を形成するために使用される透明なフィルムは、印刷も着色もされていない、ただしその隣接部分は印刷または着色されている、透明な部分２６を有してよい。他の実施形態では、視角的指示領域２０は、例えば、収縮スリーブもしくはラップ２２を容器１４に適用する前に、収縮スリーブもしくはラップ２２材料を除去（例えば、切り取る、打ち抜くなど）して、それを取り抜ける視認部分２６もしくは窓を形成することによって提供される。この実施形態では、収縮スリーブもしくはラップ２２を容器１４に適用する前に、フィルム全体が事前に印刷または着色されてもよい。
【００１６】
ここに例示される容器１４は、前面２８と、背面３０と、前部と後部との間を延びる側面３２および３４と、長手方向軸もしくは中心線３８と、長手方向軸もしくは中心線にほぼ垂直に交わる横方向軸もしくは中心線４０とを有する。ある実施態様では、前面２８は、視覚的に心地良いデザインやロゴなどを含んでもよく、背面３０は、指示や成分などを含んでもよい。視角的指示領域２０は、容器１４の前面２８に配置された部分と、隅角部３６に重なる、容器の側面３２のところに配置された部分とを有する。視角的指示領域２０は、下側の周辺象限（lower peripheral quadrant）４２内で、長手方向中心線３８から横方向にずれ、横方向中心線４０から長手方向にずれている。他の実施形態では、以下で述べるように、視角的指示領域は、他の象限４６、４８、５０内に位置してもよく、および／または一方もしくは両方の中心線３８、４０に重なってもよい。
【００１７】
窓を形成する視認部分２６は、透明なレセプタクル部分１８を通じた容器１４内に配置されたパーソナルケア組成物１２の視認を可能にするようにサイズ指定および配置される。パーソナルケア組成物１２は、視覚的に異なる相５２および５４を含んでおり、視認部分２６は、視覚的に異なる相５２、５４それぞれの視認を可能にするようにサイズ指定および配置される。ある実施形態では、視認部分２６は、視覚的に異なるいくつかの相だけの、ただし１つよりも多くの相の、視認を可能にするようにサイズ指定および配置されてよい。ある実施形態では、視認部分２６は、視覚的に異なる相すべての視認を可能にするようにサイズ指定および配置されてよい。視覚的に異なる２つの相５２および５４だけが例示されているが、４以上の領域、６以上の領域、１０以上の領域、１５以上の領域、２０以上の領域、４０以上の領域など、視認部分２６を通して視認可能であり、視角的指示領域２０を形成する、視覚的に異なる２つよりも多くの相が存在してもよい。
【００１８】
図３Ａ〜３Ｄは、個々に、容器１４の前面２８、背面３０、および側面３２、３４を例示する。図３Ａ〜３Ｄからわかるように、前面２８、背面３０、および側面３２、３４のうちの少なくとも１つは、被覆部分２４により、ほとんどまたは完全に不透明である。ここでの例示では、特に図３Ａおよび図３Ｂを参照すると、背面３０および側面３４は、スリーブもしくはラップ２２の被覆部分２４によって、ほとんどまたは完全に覆われる。ただし、ある実施形態では、背面３０および側面３４は、被覆部分２４によってほとんどまたは完全に覆われていなくてもよい。図３Ｃおよび図３Ｄを参照すると、前面２８および側面３２は、それぞれ、被覆部分２４と視認部分２６とを含む。ある実施形態では、前面２８の視認部分２６は、前面の全表面積の約７０パーセント以下（例えば、約４０パーセント以下、約３０パーセント以下、約２０パーセント以下、約１０パーセント以下、約５パーセント以下、約０．５パーセント〜約７０パーセントの間、約０．５パーセント〜約３０パーセントの間、約０．５パーセント〜約２０パーセントの間）であってよく、例えば、被覆部分２４が残りの表面積を覆う。ある実施形態では、側面３２の視認部分２６は、側面３２の全表面積の約７０パーセント以下（例えば、約４０パーセント以下、約３０パーセント以下、約２０パーセント以下、約１０パーセント以下、約５パーセント以下、約０．５パーセント〜約７０パーセントの間、約０．５パーセント〜約３０パーセントの間、約０．５パーセント〜約２０パーセントの間）であってよく、例えば、被覆部分２４が残りの表面積を覆う。
【００１９】
ここで図４を参照すると、収縮スリーブもしくはラップ２２は、容器１４上に収縮スリーブもしくはラップ２２が収縮された後で、該容器１４から除去されて平らに広げて置かれた状態で示されている。図からわかるように、収縮スリーブもしくはラップ２２の大部分が被覆部分２４を含んでおり、収縮スリーブのわずかな部分が視認部分２６を含む。
【００２０】
視認部分２６は、楕円形である。多角形（例えば、正方形や矩形など）、円形、不規則形状など、他のいずれか好適な形状が使用されてもよい。また、目的物の形態の形状が使用されてもよい。
【００２１】
収縮スリーブもしくはラップ２２は、いずれか好適な材料によって形成されてよい。好適な材料としては、ポリ塩化ビニル（ＰＶＣ）、低密度、中密度、もしくは高密度ポリエチレン（ＬＤＰＥ、ＭＤＰＥ、ＨＤＰＥ）、変性ポリエチレンテレフタレート（ＰＥＴＧ）、ポリエチレンテレフタレート（ＰＥＴ）、ポリプロピレン（ＰＰ）および配向ポリプロピレン（ＯＰＰ）、ポリスチレン（ＰＳ）および配向ポリスチレン（ＯＰＳ）、並びにそれらの混合物など、熱可塑性物質が挙げられる。
【００２２】
再び図１および図２を参照すると、パーソナルケア組成物１２は、視角的指示領域２０を形成するために、視認部分２６を通して視認可能な視覚的に異なる相５２および５４を有する。視角的指示領域２０は、パーソナルケア組成物１２が視覚的に異なる相を含むという指示を消費者に提供することができる。
【００２３】
一態様では、パーソナルケア組成物１２は、視覚的に異なる相５２、５４を形成する２つもしくはそれ以上の相を含む。第１の相は、第２の相と物理的におよび／または緊密に接触している。第１の相は、例えば、ストライプ模様、大理石模様、直線的模様、中断ストライプ模様、チェック模様、斑点模様、すじ模様、クラスター模様、斑紋模様、幾何学模様、まだら模様、リボン模様、らせん模様（helical）、渦模様（swirl）、配列模様、ふ入り模様、織物模様、溝模様、隆起線模様、波形模様、正弦波模様、渦巻き模様（spiral）、ねじれ模様、曲線模様、周期模様、縞模様、横紋模様、輪郭模様、不均等模様、レース模様、織り込みもしくは織り出し模様、バスケット織り模様、まだら模様、およびモザイク模様などの様々な模様で、第２の相内に、もしくは第２の相とともに、懸濁または分散されていてよい。
【００２４】
２つもしくはそれ以上の相は、視覚的に異なることに加えて、物理的に異なっていてもよい。一実施形態では、視覚的に異なる相は、異なる色、不透明度、または屈折率のものであってよく、それによってヒトの目が相を区別できるようになる。他の態様では、ある相（もしくは複数の相）は、明らかに清澄なものであってよく、他の相（もしくは複数の相）は、不透明または明らかに清澄でないものであってよい。他の態様では、外相（すなわち、容器の内壁に接触している相）を通して内相（もしくは複数の内相）が見られるように、外相が清澄なものであってもよい。
【００２５】
組成物１２は、視覚的に異なる相、または、染料、顔料、パールエッセンス剤、レーキ、着色剤、もしくはそれらの混合物を使用する相を含んでもよい。本発明に従った有用な着色剤としては、例えば、レッド３０ローアイアン（Low Iron）、食品・医薬品および化粧品用レッド４０ＡＬレーキ、レーキ２７およびレーキ３０の医薬品および化粧品用レッドレーキブレンド、食品・医薬品および化粧品用イエロー５Ａｌレーキ、食品・医薬品および化粧品用イエロー６ＡＬレーキ、食品・医薬品および化粧品用イエロー５レーキ、食品・医薬品および化粧品用ブルー＃１ＡＬレーキ、コエット（Kowet）二酸化チタン、医薬品および化粧品用レッド３０タルクレーキ、医薬品および化粧品用レッド６バリウムレーキ、医薬品および化粧品用レッド７カルシウムレーキ、医薬品および化粧品用レッド３４カルシウムレーキ、医薬品および化粧品用レッド３０ＡＬレーキ、医薬品および化粧品用レッド２７ＡＬレーキ、医薬品および化粧品用イエロー１０ＡＬレーキ、医薬品および化粧品用レッド２１ＡＬレーキ、黄酸化鉄、医薬品および化粧品用レッド３０レーキ、オクトサー（Octocir）イエロー６ＡＬレーキ、オクトサーイエロー５ＡＬレーキ、医薬品および化粧品用レッド２８レーキ、医薬品および化粧品用オレンジ５ジルク（Zirc）Ａｌレーキ、コスレッドオキシド（Cos Red Oxide）ＢＣ、コス（Cos）酸化鉄レッドＢＣ、コス酸化鉄ブラックＢＣ、コス酸化鉄イエロー、コス酸化鉄ブラウン、コス酸化鉄イエローＢＣ、ユーロオキシド・レッド・アンステリル（Euroxide Red Unsteril）、ユーロオキシド・ブラック・アンステリル（Euroxide Black Unsteril）、ユーロオキシド・イエロー・ステリル（Euroxide Yellow Steril）、ユーロオキシド・ブラック・ステリル（Euroxide Black Steril）、ユーロオキシド・レッド（Euroxide Red）、ユーロオキシド・ブラック（Euroxide Black）、疎水性ユーロオキシド・ブラック（Hydrophobic Euroxide Black）、疎水性ユーロオキシド・イエロー（Hydrophobic Euroxide Yellow）、疎水性ユーロオキシド・レッド（Hydrophobic Euroxide Red）、医薬品および化粧品用イエロー６レーキ、医薬品および化粧品用イエロー５Ｚｒレーキ、並びにこれらの混合物を挙げることができる。
【００２６】
パーソナルケア組成物１２としては、シャンプー、コンディショナー、制汗剤、防臭剤、ヘアスタイリング製品、洗浄剤、石鹸、ボディーソープ、化粧品、ファンデーション、ローション、クリーム、軟膏、および含水アルコール溶液が挙げられるが、これらに限定されない。相は、洗浄相、コンディショニング相、有益相等の１つまたはそれらの組み合わせであってよい。さらに、相の１つもしくは複数は、また、ホーメル（Hormel）から入手可能な商品名ペプテイン（Peptein）２０００の加水分解コラーゲンなどのコンディショニング剤、ビタミンＡ、Ｄ、Ｂ１、Ｂ２、Ｂ６、Ｂ１２、Ｃ、ビオチン、エーザイ（Eisai）から入手可能な商品名Ｅミックス−ｄ（Emix-d）のビタミンＥ、ロシュ（Roche）から入手可能なパンテノール、パントテン酸、ロシュから入手可能なパンテニルエチルエーテル、およびそれらの誘導体などの水溶性並びに非水溶性ビタミン；加水分解されたケラチン、タンパク質、植物抽出物、および栄養素；ゴールドシュミット（Goldschmidt）から入手可能な商品名ヴァロニック（Varonic）ＡＰＭのＰＰＧ−３ミリスチルエーテル、トリメチルペンタノールヒドロキシエチルエーテル、ゴールドシュミットから入手可能な商品名ヴァロニックＡＰＳのＰＰＧ−１１ステアリルエーテル、ゴールドシュミットから入手可能な商品名テゴソフト（Tegosoft）ＳＨのステアリルヘプタノエート、ゴールドシュミットから入手可能なラクチル（Lactil）（乳酸ナトリウム、ＰＣＡナトリウム、グリシン、フルクトース、尿素、ナイアシンアミド、グルコサミン、イノシトール、安息香酸ナトリウム、および乳酸の混合物）、乳酸ナトリウム、ＰＣＡナトリウム、グリシン、フルクトース、尿素、ナイアシンアミド、グルコサミン、イノシトール、安息香酸ナトリウム、乳酸、日清製油（Nishin Seiyu）から入手可能な商品名サラコス（Saracos）およびゴールドシュミットから入手可能な商品名テゴソフトＯＰのエチルヘキシルパルミテート；両性固定ポリマー、カチオン性固定ポリマー、アニオン性固定ポリマー、非イオン性固定ポリマー、およびシリコーングラフトコポリマーなどの毛髪固定ポリマー；ベンジルアルコール、メチルパラベン、プロピルパラベン、およびイミダゾリジニル尿素などの保存剤；クエン酸、クエン酸ナトリウム、コハク酸、リン酸、水酸化ナトリウム、炭酸ナトリウムなどのｐＨ調整剤；酢酸カリウムおよび塩化ナトリウムなどの一般的な塩；食品、医薬品、および化粧品用（ＦＤ＆Ｃ）もしくは医薬品および化粧品用（Ｄ＆Ｃ）染料のいずれか、酸化染料、並びに干渉顔料などの着色剤；過酸化水素、過ホウ酸塩および過硫酸塩、カーボネートなどの毛髪酸化（漂白）剤；チオグリコレートなどの毛髪還元剤；香料；並びにエチレンジアミン四酢酸二ナトリウムなどの金属イオン封鎖剤；サリチル酸オクチルなどの紫外線および赤外線遮断剤並びに吸収剤；抗菌剤；懸濁剤；粘度調整剤；不揮発溶剤または希釈剤（水溶性および非水溶性）、パールエッセンス剤、発泡促進剤、追加の界面活性剤もしくは非イオン性共界面活性剤、シラミ駆除剤（pediculocides）、キレート剤、皮膚活性剤、日焼け止め剤、紫外線吸収剤、並びに、アスパラギン、アラニン、インドール、グルタミン酸、チロシン、トリプタミン、およびこれらの塩などの水溶性および非水溶性アミノ酸；並びに、亜鉛ピリチオン、ピリジンチオン塩、アゾール、クリンバゾール、オクトピロクス、サリチル酸、硫化セレン、微粒子硫黄、およびそれらの混合物などの抗ふけ剤など、追加の構成成分を含んでよい。
【００２７】
ここで図５〜７を参照すると、様々な視角的指示領域２０の配置が例示されている。視認部分２６の配置およびサイズは、混合が（例えば、輸送、取扱い、分与などが原因で）起こった可能性のある組成物１２の領域の視認を妨げながら、視覚的に異なる相５２および５４の選択的視認を可能にすることができる。これは、領域もしくは相の混合の確率がより低い場所に視認部分２６を配置することによって達成することができる。さらに、ある実施形態では、視角的指示領域２０の設置は、容器１４が様々な向きにある状態で、例えば、前面２８を消費者に向けた前向き、および側面３２を消費者に向けた横向きの状態で、パーソナルケア組成物１２の視認を可能にすることができる。
【００２８】
図５は、視角的指示領域２０が象限４８内に配置されて横方向中心線４０に重なっている一実施形態を示す。スリーブもしくはラップ２２によって形成される視認部分２６は、比較的円形の輪郭を有しており、視覚的に異なる相５２および５４の視認を可能にするようにサイズ設定される。図６を参照すると、視角的指示領域２０は、多数の象限４２、４６、４８、５０内に配置されてよい。視認部分２６は、視角的指示領域２０を象限４６および５０内に配置するために横方向中心線４０を越えて延びる比較的楕円形の輪郭を有する。図５および図６は、前面２８および側面３２に沿って延びる視覚的指示領域を示すが、図７は、完全に前面２８上に配置された視角的指示領域２０を有する一実施形態を示す。他の構成が可能である。ある実施形態では、視角的指示領域２０は、前面２８、背面３０、および側面３２、３４のいずれかまたはすべてに配置されてよい。
【００２９】
以上で収縮スリーブもしくはラップ２２について述べたが、他のいずれか好適なスリーブやラップなどが使用されることもできる。スリーブもしくはラップは、紙（例えば、加重された紙（weighted paper））、厚紙、フォイル、段ボール、カートン、または熱可塑性物質など、いずれか好適な材料で形成されてよい。紙もしくは厚紙は、容器１４内のプラスチックの総重量を最小限に抑えることができ、またスリーブを容器から容易に分離できるようにすることができるが、プラスチックスリーブは、再生利用の前に容器からスリーブを分離する必要をなくす場合がある。
【００３０】
スリーブもしくはラップは、容器の周りに巻き付けられて適所に糊付けされてもよく、または、スリーブもしくはラップは、該ラップもしくはスリーブを容器に接着させるのに好適な接着性の裏材を有してもよい。上記のように、スリーブは、熱収縮またはストレッチラッピングによって固定されてよい。熱収縮が使用される場合、視認部分２６は、スリーブが収縮された後で該視認部分が前述のように視覚的に異なる相の視認を可能にするように、サイズ設定および配置されるべきである。好ましくは、スリーブもしくはラップは、容器の外表面の少なくとも約５０パーセント、少なくとも約７０パーセント、少なくとも約８０パーセントなど、容器の外表面の少なくとも約３０パーセントを覆う。
【００３１】
図８を参照すると、容器の他の種類および形状は、視角的指示領域２０を含んでもよい。図８は、最上部６２と、基部６４と、円筒状の本体６６とを有する、丸いボトル６０を示す。視角的指示領域２０は、最上部６２と基部６４との間で本体６６上に配置される。視角的指示領域２０は、前述のように、透明な円筒状の本体６６と、スリーブもしくはラップ２２と、視認部分２６と、被覆部分２４とを使用して形成されることができる。他の代表的な容器の種類としては、カートン、チューブ、可撓性包装、瓶（jars）、コンパクト、多構成要素アセンブリ（例えば、防臭剤、多室型包装）、容積式ポンプ、加圧キャニスタ、ブリスターパックなどが挙げられる。
【００３２】
透明な本体６６を通した組成物１２の視認を可能にする視認部分２６の代替形態として、図９を参照すると、製品は、プレプリントフィルム７２を使用して形成される視角的指示領域７０を含んでもよい。ある実施形態では、視角的指示領域７０は、プレプリントされた視覚的に異なる相７４および７６を含むスリーブもしくはラップ２２のプレプリント部分７８によって形成されてよい。プレプリント部分７８は、半透明または不透明であってよい。他の代替形態として、視角的指示領域７０は、スリーブもしくはラップを使用せずに、例えば、容器自体を使用して形成されてもよい。これらの実施形態では、レセプタクル部分１８もしくは本体６６の一部分だけが、視認部分２６を提供し、およびその中に配置された組成物の視認を可能にするために透明であってよく、レセプタクル部分１８もしくは本体６６の他の部分は、被覆部分２４を提供するために不透明または半透明である。
【００３３】
「発明を実施するための最良の形態」の説明で引用したすべての文献は、その関連部分において本明細書に参考として組み込まれ、いずれの文献の引用も、それが本発明に関して先行技術であることを認めるものと解釈するべきではない。この文書における用語のいずれかの意味または定義が、参考として組み込まれる文献における用語のいずれかの意味または定義と対立する範囲については、本文書におけるその用語に与えられた意味または定義を適用するものとする。
【００３４】
本発明の特定の実施形態を例示し述べたが、本発明の精神および範囲から逸脱することなく他の様々な変更および修正を実施できることが、当業者には自明であろう。したがって、本発明の範囲内にあるそのようなすべての変更および修正を、添付の特許請求の範囲で扱うものとする。
【図面の簡単な説明】
【００３５】
【図１】容器の一実施形態の正面図。
【図２】図１の容器の組立て分解正面図。
【図３Ａ】図１の容器の背面。
【図３Ｂ】図１の容器の側面。
【図３Ｃ】図１の容器の前面。
【図３Ｄ】図１の容器の側面。
【図４】図１の容器から除去された収縮スリーブの一実施形態を示す。
【図５】容器の他の実施形態の正面図。
【図６】容器の他の実施形態の正面図。
【図７】容器の他の実施形態の正面図。
【図８】容器のさらに他の実施形態の正面図。
【図９】容器の他の実施形態の正面図。
【図１】
2009512600.tif 000003
【図２】
2009512600.tif 000004
【図３Ａ】
2009512600.tif 000005
【図３Ｂ】
2009512600.tif 000006
【図３Ｃ】
2009512600.tif 000007
【図３Ｄ】
2009512600.tif 000008
【図４】
2009512600.tif 000009
【図５】
2009512600.tif 000010
【図６】
2009512600.tif 000011
【図７】
2009512600.tif 000012
【図８】
2009512600.tif 000013
【図９】
2009512600.tif 000014
【国際調査報告】
2009512600.tif 000015
2009512600.tif 000016
2009512600.tif 000017